(57)【要約】      （修正有）【課題】硬貨を種類別に仕分けることができる利便性を確保しつつ、紙幣収納部に収納した紙幣を容易に取り出すことができる財布を提供する。【解決手段】硬貨の出し入れの際に上方に開口する開口部を有し、仕切部２１〜２３により複数の硬貨収空間に仕切られた硬貨収納部２０と、硬貨収納部の厚さ方向の一方の側面側において紙幣の出し入れの際に上方に開口する開口部を有し、硬貨収納部と仕切られて設けられた紙幣収納部３０と、を備えた財布であって、硬貨収納部の開口部を開閉自在に閉塞する開閉手段（スライドファスナー２５）を備える。【選択図】図１
0003222655.tif 000002
【実用新案登録請求の範囲】
【請求項１】
硬貨の出し入れの際に上方に開口する開口部を有し、仕切部により複数の硬貨収空間に仕切られた硬貨収納部と、
前記硬貨収納部の厚さ方向の一方の側面側において紙幣の出し入れの際に上方に開口する開口部を有し、前記硬貨収納部と区画されて設けられた紙幣収納部と、
を備えた財布であって、
前記硬貨収納部の開口部を開閉自在に閉塞する開閉手段を備えることを特徴とする財布。
【請求項２】
前記硬貨収納部及び前記紙幣収納部は正面視長方形状に形成され、
前記仕切部は、前記硬貨収納部の厚さ方向に延びる第一仕切部と、前記硬貨収納部の長手方向に延びる第二仕切部と、を備え、
前記開閉手段は、前記硬貨収納部の長手方向の両側面部に跨って設けられ、
前記硬貨収納部は、長手方向の両端部にマチ部を有し、
前記第一仕切部及び前記マチ部には、前記開口部を前記厚さ方向に開いたときに、上方に向かうほど厚さ方向に拡開された前記硬貨収納空間を形成し得るように折曲部が形成されていることを特徴とする請求項１記載の財布。
【請求項３】
前記紙幣収納部の厚さ方向の一方の側面側に、前記紙幣収納部の開口部及び前記硬貨収納部の開口部を覆うと共に前記硬貨収納部の厚さ方向の他方の側面側に当接可能なカバー部が設けられていることを特徴とする請求項２記載の財布。
【請求項４】
前記カバー部の内側部には、前記紙幣収納部の開口部及び前記硬貨収納部の開口部を被覆したときに前記硬貨収納部の厚さ方向の他方の側面側と対向する複数のカード収納部が設けられていることを特徴とする請求項３記載の財布。
【請求項５】
前記紙幣収納部は、長手方向に延びる第三仕切部により複数の紙幣収容空間に仕切られているとともに、長手方向の両端部にマチ部を有し、
前記マチ部には、前記紙幣収納部の開口部を厚さ方向に開いたときに上方に向かうほど厚さ方向に拡開された前記紙幣収納空間を形成し得るように折曲部が形成されていることを特徴とする請求項４記載の財布。
【考案の詳細な説明】
【技術分野】
【０００１】
本考案は、財布に係り、特に、硬貨を種類別に仕分けて収納可能な財布に関するものである。
【背景技術】
【０００２】
従来より、硬貨収納部と、紙幣収納部と、カード収納部とを備えた財布は広く実施されている。
【０００３】
また、たとえば、特許文献１には、硬貨収納部が仕切部で複数に仕切られ、硬貨を種類別に仕分けて収納可能な硬貨収納部を有し、硬貨の支払いを迅速に行えるようにした従来技術も開示されている。
【０００４】
さらに、たとえば、特許文献２には、硬貨収納部及び紙幣収納部の開口部を単一の開閉手段によって開閉可能とした従来技術も開示されている。
【先行技術文献】
【特許文献】
【０００５】
【特許文献１】実用新案登録第３２１２９２０号公報
【特許文献２】実用新案登録第３２１８８４６号公報
【考案の概要】
【考案が解決しようとする課題】
【０００６】
しかしながら、特許文献１に開示された従来技術は、硬貨収納部を開閉する内側開閉手段としてのスライドファスナーと、財布の開口部全体を開閉する外側開閉手段としてのホック付きフラップを有しており、構成が複雑であり、硬貨を財布から取り出すためには２つの開閉手段を開状態にしなければならない二度手間となるうえに、構造が複雑な分、製造コストも高くなる。
【０００７】
また、財布の開口部に設けられた開閉方向の仕切部が折れ曲がるように形成されていないことから、財布開閉時にスムーズに開閉できないおそれがあり、不便であるという不具合もある。
【０００８】
また、特許文献２に開示された従来技術は、硬貨収納部と紙幣収納部とが単一の開閉手段によって開閉可能となっているため、紙幣のみを取り出したいときにも開閉手段による開放操作をしなければならず、手間を要するという不具合がある。
【０００９】
本考案は、以上のような従来の問題点を解消するためのものであって、その課題は、硬貨を種類別に仕分けて、硬貨の支払いを迅速に行えることは勿論、紙幣のみを容易に取り出すことができる財布を提供することにある。
【課題を解決するための手段】
【００１０】
前記課題を解決するために、請求項１記載の考案は、硬貨の出し入れの際に上方に開口する開口部を有し、仕切部により複数の硬貨収空間に仕切られた硬貨収納部と、前記硬貨収納部の厚さ方向の一方の側面側において紙幣の出し入れの際に上方に開口する開口部を有し、前記硬貨収納部と区画されて設けられた紙幣収納部と、を備えた財布であって、前記硬貨収納部の開口部を開閉自在に閉塞する開閉手段を備えることを特徴とする。
【００１１】
請求項１記載の考案にあっては、硬貨収納部のみに開口部を開閉自在に閉塞する開閉手段が設けられているので、紙幣のみを取り出したいときに、開閉手段の開放操作を要しない。よって、硬貨を種類別に仕分けることができる利便性を確保しつつ、紙幣収納部に収納した紙幣を容易に取り出すことができる。
【００１２】
また、請求項２記載の考案は、請求項１記載の考案において、前記硬貨収納部及び前記紙幣収納部は正面視長方形状に形成され、前記仕切部は、前記硬貨収納部の厚さ方向に延びる第一仕切部と、前記硬貨収納部の長手方向に延びる第二仕切部と、を備え、前記開閉手段は、前記硬貨収納部の長手方向の両側面部に跨って設けられ、前記硬貨収納部は、長手方向の両端部にマチ部を有し、前記第一仕切部及び前記マチ部には、前記開口部を前記厚さ方向に開いたときに、上方に向かうほど厚さ方向に拡開された前記硬貨収納空間を形成し得るように折曲部が形成されていることを特徴とする。
【００１３】
請求項２記載の考案にあっては、硬貨収納部が第一仕切部と第二仕切部とによって少なくとも四つの硬貨収納空間に仕切られる。そして、開口部を厚さ方向に開いたときに、上方に向かうほど厚さ方向に拡開された硬貨収納空間が形成される。
【００１４】
また、請求項３記載の考案は、請求項２記載の考案において、前記紙幣収納部の厚さ方向の一方の側面側に、前記紙幣収納部の開口部及び前記硬貨収納部の開口部を覆うと共に前記硬貨収納部の厚さ方向の他方の側面側に当接可能なカバー部が設けられていることを特徴とする。
【００１５】
請求項３記載の考案にあっては、紙幣収納部の厚さ方向の一方の側面側に設けられたカバー部により、紙幣収納部の開口部及び硬貨収納部の開口部が覆われる。
【００１６】
また、請求項４記載の考案は、請求項３記載の考案において、前記カバー部の内側部には、前記紙幣収納部の開口部及び前記硬貨収納部の開口部を被覆したときに前記硬貨収納部の厚さ方向の他方の側面側と対向する複数のカード収納部が設けられていることを特徴とする。
【００１７】
請求項４記載の考案にあっては、紙幣収納部の開口部及び硬貨収納部の開口部を覆うカバー部の内側部に複数のカード収納部が設けられているので、カバー部を利用して複数のカードを分別して収納することができる。
【００１８】
また、請求項５記載の考案にあっては、請求項４記載の考案において、前記紙幣収納部は、長手方向に沿って延びる第三仕切部により複数の紙幣収容空間に仕切られているとともに、長手方向の両端部にマチ部を有し、前記マチ部には、前記紙幣収納部の開口部を厚さ方向に開いたときに上方に向かうほど厚さ方向に拡開された前記紙幣収納空間を形成し得るように折曲部が形成されていることを特徴とする。
【００１９】
請求項５記載の考案にあっては、紙幣収納部が第三仕切部によって少なくとも二つ紙幣収納空間に仕切られる。そして、紙幣収納部の開口部を厚さ方向に開いたときに、上方に向かうほど厚さ方向に拡開された紙幣収納空間が形成される。
【考案の効果】
【００２０】
請求項１記載の考案にあっては、硬貨収納部のみに開口部を開閉自在に閉塞する開閉手段が設けられているので、紙幣のみを取り出したいときに、開閉手段の開放操作を必要としない。よって、硬貨を種類別に仕分けることができる利便性を確保しつつ、紙幣収納部に収納した紙幣を容易に取り出すことができる。
【００２１】
請求項２記載の考案にあっては、硬貨収納部が第一仕切部と第二仕切部とによって少なくとも四つの硬貨収納空間に仕切られる。そして、開口部を厚さ方向に開いたときに、上方に向かうほど厚さ方向に拡開された硬貨収納空間が形成される。したがって、開口部を大きく開いて、硬貨収納部に収容されている硬貨を容易に視認することができ、硬貨収納部への硬貨の出し入れも容易に行うことができる。硬貨収納部の内部が四つの硬貨収納空間に仕切られているので、硬貨を種別ごとに分けて収容することができる。
【００２２】
請求項３記載の考案にあっては、カバー部により、紙幣収納部の開口部及び硬貨収納部の開口部が覆われるので、紙幣の脱落を防止するとともに、開閉手段を閉め忘れた場合における硬貨の脱落を防止することができる。
【００２３】
請求項４記載の考案にあっては、紙幣収納部の開口部及び硬貨収納部の開口部を被覆した際に硬貨収納部の厚さ方向の他方の側面側と対向するカバー部の内側部に複数のカード収納部が設けられていることにより、複数のカードを分別して収納することができる。
【００２４】
請求項５記載の考案にあっては、紙幣収納部が第三仕切部によって少なくとも二つ紙幣収納空間に仕切られ、紙幣収納部の開口部を厚さ方向に開いたときに、上方に向かうほど厚さ方向に拡開された紙幣収納空間が形成されるので、紙幣収納部の開口部を大きく開くことにより、紙幣収納部に収容されている紙幣を容易に視認することができ、紙幣収納部への紙幣の出し入れも容易に行うことができる。紙幣収納部の内部が少なくとも二つの紙幣収納空間に仕切られているので、紙幣を種別ごとに分けて収納することができる。
【図面の簡単な説明】
【００２５】
【図１】本考案に係る財布の一実施形態を示す斜視図である。
【図２】図１に示す財布の硬貨収納部を閉じた状態の斜視図である。
【図３】図１に示す財布のカバー部を閉じた状態の正面図である。
【考案を実施するための形態】
【００２６】
以下、本考案に係る財布を、一実施形態に基づき、図面を参照して説明する。
【００２７】
先ず、一実施形態の構成について説明する。
【００２８】
図１及び図２中の矢印Ａは財布１０の厚さ方向を示している。また、矢印Ｂは財布１０の長手方向を示している。この財布１０は、硬貨収納部２０と、紙幣収納部３０と、カバー部４０と、を有する。図３に示すように、財布１０は、全体的に正面視略長方形状に形成されており、硬貨収納部２０及び紙幣収納部３０も正面視略長方形状に形成されている。
【００２９】
図１及び図２に示すように、硬貨収納部２０及び紙幣収納部３０は、財布本体１１の内部に設けられている。財布本体１１は、下端部で繋がっている前面部１１ａ及び背面部１１ｂを有する。
【００３０】
硬貨収納部２０は、財布本体１１の前面部１１ａ側に設けられている。紙幣収納部３０は、財布本体１１の背面部１１ｂ側に設けられている。
【００３１】
図１に示すように、硬貨収納部２０は、硬貨Ｃの出し入れの際に上方に開口する開口部２０ａを有する。硬貨収納部２０の内部は、硬貨収納部２０の厚さ方向に延びる第一仕切部２１、２２と、硬貨収納部２０の長手方向に延びる第二仕切部２３とにより四つの硬貨収納空間Ｓ１に仕切られている。硬貨収納部２０の長手方向の両端部には、マチ部２４が設けられている。第一仕切部２１、２２及びマチ部２４には、開口部２０ａを厚さ方向に開いたときに、上方に向かうほど厚さ方向に拡開された硬貨収納空間Ｓ１を形成し得るように、それぞれ折曲部２１ａ、２２ａ、２４ａが設けられている。
【００３２】
硬貨収納部２０には、開口部２０ａを開閉自在に閉塞する開閉手段としてのスライドファスナー２５が設けられている。スライドファスナー２５は、硬貨収納部２０の長手方向の両側面部に跨って設けられている。スライドファスナー２５には、開閉操作をするための引手２６が設けられている。
【００３３】
紙幣収納部３０は、紙幣Ｍの出し入れの際に上方に開口する開口部３０ａを有する。紙幣収納部３０の内部は、紙幣収納部３０の長手方向に延びる第三仕切部３１により二つの紙幣収納空間Ｓ２に仕切られている。紙幣収納部３０の長手方向の両端部には、マチ部３２が設けられている。マチ部３２には、開口部３０ａを厚さ方向に開いたときに上方に向かうほど厚さ方向に拡開された紙幣収納空間Ｓ２を形成し得るように、折曲部３２ａが形成されている。
【００３４】
カバー部４０は、財布本体１１の背面部１１ｂに一体的に取り付けられている。カバー部４０は、紙幣収納部３０の開口部３０ａ及び硬貨収納部２０の開口部２０ａを覆うとともに、財布本体１１の前面部１１ａに当接可能である。図３は、このときの状態すなわち、カバー部４０を閉じた状態を示している。
【００３５】
図１及び図２に示すように、カバー部４０の内側には、財布本体１１の前面部１１ａに設けられた図示しない留め具と磁気的に又は機械的に結合する留め具４１が設けられている。カバー部４０側の留め具４１と財布本体１１側の留め具とが互いに結合することにより、カバー部４０が閉じた状態に保たれる。
【００３６】
カバー部４０の内側部には、カバー部４０を閉じたときに財布本体１１の前面部１１ａと対向する複数のカード収納部４２が設けられている。カバー部４０と財布本体１１の背面部１１ｂとの境界部には、ペン差し部４３が設けられている。ペン差し部４３及びこれに装着された筆記具Ｐは、紙幣収納部３０の開口部３０ａ及び硬貨収納部２０の開口部２０ａと共にカバー部４０により覆われる。
【００３７】
次に、一実施形態の作用効果について説明する。
この財布１０によれば、硬貨収納部２０のみに開口部２０ａを開閉自在に閉塞するスライドファスナー２５が設けられているので、紙幣収納部３０へは、図２に示すように、カバー部４０を開くだけでアクセス可能となる。したがって、紙幣Ｍのみを取り出したいときには、スライドファスナー２５の開放操作を必要としない。よって、この財布１０によれば、硬貨Ｃを種類別に仕分けることができる利便性を確保しつつ、紙幣収納部３０に収納した紙幣Ｍを容易に取り出すことができる。
【００３８】
また、この財布１０によれば、図１に示すように、スライドファスナー２５を開放して硬貨収納部２０の開口部２０ａを開いたときに、第一仕切部２１、２２及びマチ部２４及びにそれぞれ形成された折曲部２１ａ、２２ａ及び２４ａが伸びることにより、上方に向かうほど厚さ方向に拡開された複数の硬貨収納空間Ｓ１が形成される。したがって、開口部２０ａを大きく開いて、硬貨収納部２０に収容されている硬貨Ｃを容易に視認することができ、硬貨収納部２０への硬貨Ｃの出し入れも容易に行うことができる。硬貨収納部２０の内部が四つの硬貨収納空間Ｓ１に仕切られているので、硬貨Ｃを種別ごとに分けて収容することができる。
【００３９】
また、この財布１０によれば、図３に示すように、カバー部４０により、紙幣収納部３０の開口部３０ａ及び硬貨収納部２０の開口部２０ａが覆われるので、紙幣Ｍの脱落を防止するとともに、スライドファスナー２５を閉じ忘れた場合における硬貨Ｃの脱落も防止することができる。
【００４０】
また、この財布１０によれば、図1及び図２に示すように、紙幣収納部３０の開口部３０ａ及び硬貨収納部２０の開口部２０ａを覆うカバー部４０の内側部に複数のカード収納部４２が設けられているので、カバー部４０を利用して複数のカードＤを収納することができる。
【００４１】
また、この財布１０によれば、紙幣収納部３０の開口部３０ａを厚さ方向に開いたときに、マチ部３２に形成された折曲部３２ａが伸びることにより、上方に向かうほど厚さ方向に拡開された紙幣収納空間Ｓ２が形成される。したがって、開口部３０ａを大きく開くことにより、紙幣収納部３０に収容されている紙幣Ｍを容易に視認することができ、紙幣収納部３０への紙幣Ｍの出し入れも容易に行うことができる。
【００４２】
なお、本考案の構成及び作用効果は上記実施形態に限定されない。
たとえば、上記の例では、財布１０の硬貨収納部１２が四つに仕切られているが、区画数は三つ以下であっても五つ以上であってもよい。カード収納部４２の数も任意である。また、ペン差し部４３は必須の構成要素ではない。
【００４３】
また、上記の例では、開口部２０ａを開閉自在に閉塞する開閉手段としてスライドファスナー２５を用いているが、これに限定されず、ホック付きのフラップ等を用いてもよい。
【符号の説明】
【００４４】
１０  財布
１１  財布本体
１１ａ  前面部
１１ｂ  背面部
２０  硬貨収納部
２０ａ  開口部
２１  第一仕切部（仕切部）
２１ａ  折曲部
２２  第一仕切部（仕切部）
２２ａ  折曲部
２３  第二仕切部（仕切部）
２４  マチ部
２４ａ  折曲部
２５  スライドファスナー（開閉手段）
３０  紙幣収納部
３０ａ  開口部
３１  第三仕切部
３２  マチ部
３２ａ  折曲部
４０  カバー部
４２  カード収納部
Ｃ  硬貨
Ｍ  紙幣
Ｓ１  硬貨収納空間
Ｓ２  硬貨収納空間
【図１】
0003222655.tif 000003
【図２】
0003222655.tif 000004
【図３】
0003222655.tif 000005